(57)【要約】【課題】生産コストを低減した有機エレクトロルミネッセンス表示装置を提供することを目的とする。【解決手段】本発明に係る有機エレクトロルミネッセンス表示装置は、第１の画素電極と、前記第１の画素電極と同層に設けられた第２の画素電極と、前記第１及び前記第２の画素電極上に設けられた対向電極と、前記第１の画素電極と前記対向電極との間に設けられ、第１波長の光を出射する第１の有機発光層と、前記第２の画素電極と前記対向電極との間に設けられ、第２波長の光を出射する第２の有機発光層と、を有し、前記第１の有機発光層は、ホスト材料、第１のドーパント材料、及び第１のアシストドーパント材料を含み、前記第２の有機発光層は、前記ホスト材料、第２のドーパント材料、及び第２のアシストドーパント材料を含む。【選択図】図２
2018082076.tif 000002
【特許請求の範囲】
【請求項１】
第１の画素電極と、
前記第１の画素電極と同層に設けられた第２の画素電極と、
前記第１及び前記第２の画素電極上に設けられた対向電極と、
前記第１の画素電極と前記対向電極との間に設けられ、第１波長の光を出射する第１の有機発光層と、
前記第２の画素電極と前記対向電極との間に設けられ、第２波長の光を出射する第２の有機発光層と、を有し、
前記第１の有機発光層は、ホスト材料、第１のドーパント材料、及び第１のアシストドーパント材料を含み、
前記第２の有機発光層は、前記ホスト材料、第２のドーパント材料、及び第２のアシストドーパント材料を含むことを特徴とする、有機エレクトロルミネッセンス表示装置。
【請求項２】
前記ホスト材料のＴ１準位は、２．８ｅＶ以上、かつ前記第１及び第２のアシストドーパント材料のＳ１準位＋０．４ｅＶ以上であることを特徴とする、請求項１記載の有機エレクトロルミネッセンス表示装置。
【請求項３】
前記第１及び第２のドーパント材料のＳ１準位はそれぞれ、２．６ｅＶ以上３．０ｅＶ以下であることを特徴とする、請求項１記載の有機エレクトロルミネッセンス表示装置。
【請求項４】
前記第１及び第２のアシストドーパントのＳ１準位はそれぞれ、２．４ｅＶ以上３．０ｅＶ以下であり、
前記第１及び第２のアシストドーパントにおけるΔＥＳＴはそれぞれ、０ｅＶ以上０．２ｅＶ以下であることを特徴とする、請求項１記載の有機エレクトロルミネッセンス表示装置。
【請求項５】
前記第１及び第２の画素電極と同層に設けられた第３の画素電極と、
前記第３の画素電極と前記対向電極との間に設けられ、第３波長の光を出射する第３の有機発光層と、をさらに有し、
前記第３の有機発光層は、前記ホスト材料、第３のドーパント材料、及び第３のアシストドーパント材料を含むことを特徴とする、請求項１記載の有機エレクトロルミネッセンス表示装置。
【請求項６】
前記第３のドーパント材料のＳ１準位は２．６ｅＶ以上３．０ｅＶ以下であることを特徴とする、請求項５記載の有機エレクトロルミネッセンス表示装置。
【請求項７】
前記第３のアシストドーパントのＳ１準位は２．４ｅＶ以上３．０ｅＶ以下であり、
前記第３のアシストドーパントにおけるΔＥＳＴはそれぞれ、０ｅＶ以上０．２ｅＶ以下であることを特徴とする、請求項５記載の有機エレクトロルミネッセンス表示装置。
【請求項８】
前記第１の画素電極と前記第１の有機発光層との間、及び前記第２の画素電極と前記第２の有機発光層との間に、電子ブロッキング層をさらに有し、
前記第１の有機発光層と前記対向電極との間、及び前記第２の有機発光層と前記対向電極との間に、ホールブロッキング層をさらに有することを特徴とする、請求項１乃至請求項７のいずれか一記載の有機エレクトロルミネッセンス表示装置。
【発明の詳細な説明】
【技術分野】
【０００１】
本発明は、有機エレクトロルミネッセンス表示装置（以下、有機ＥＬ表示装置）に関する。特に、発光層の製造工程を簡素化し、生産性を向上させた有機ＥＬ表示装置に関する。
【背景技術】
【０００２】
有機エレクトロルミネセンス素子（以下、「有機ＥＬ素子」ともいう。）は、有機エレクトロルミネセンス材料（以下、「有機ＥＬ材料」ともいう。）を含む薄膜を一対の電極で挟んだ構造を有している。有機ＥＬ素子は、ホールと電子が発光層のホスト分子で再結合することにより生じる一重項励起子が、発光ドーパントである蛍光分子へエネルギー移動することにより、蛍光分子が発光する。有機ＥＬ素子は、印加する電圧又は素子に流れる電流量によって発光強度を制御することができるため、この特性を利用して画素を形成し、表示画面を構成した表示装置が開発されている。
【０００３】
有機ＥＬ素子を用いた表示装置は、個々の画素の発光を個別に制御して画像を表示することが可能である。そのため、透過型の液晶表示装置で必要とされているバックライトが不要となり、表示装置の薄型化を可能としている。一方で、有機ＥＬ表示装置は、発光させる色毎に発光層を構成するドーパント材料と、ドーパント材料に応じたホスト材料の組合せを選択する必要があり、発光させる色毎に発光層を形成する、所謂、塗り分けが必要となる。例えば、ＲＧＢの３色の画素を形成する場合、３種類のドーパント材料と、各ドーパント材料に応じた３種類のホスト材料を準備して、３色の画素をそれぞれ形成する必要がある。
【０００４】
例えば、特許文献１には、ホスト材料と、発光色の互いに異なる少なくとも３種類の発光材料を含む単一の混合層を表示領域に亘って広がった連続膜として形成し、各発光色に対応する画素毎に電磁波を照射して、発光色に寄与しない発光材料の発光能を喪失させることが記載されている。
【０００５】
また、特許文献２には、各発光層に発光極大波長が４１５ｎｍ以下である同一のホスト材料と、ドーパントとしてイリジウム錯体を用いることが記載されている。
【先行技術文献】
【特許文献】
【０００６】
【特許文献１】特開２００９−１１１０２３号公報
【特許文献２】特許第４２８１３０８号公報
【発明の概要】
【発明が解決しようとする課題】
【０００７】
一重項励起子のみにより発光を得る有機ＥＬ表示装置では、発光層でホールと電子が再結合することにより生じる一重項励起子は２５％であり、残りの７５％は三重項励起子となり、熱失活して発光に寄与できなかった。一方で、三重項励起子のみにより発光を得る有機ＥＬ表示装置では、２５％の重項励起子が熱失活して発光に寄与できなかった。近年、三重項励起子を一重項励起子に変換することにより、蛍光分子へ一重項励起子をエネルギー移動可能なアシストドーパントを、発光ドーパントと共に発光層へドープする技術が報告されている。アシストドーパントを用いて三重項励起子を一重項励起子へ理論上ほぼ変換可能であるため、高効率の有機ＥＬ表示装置の実現が期待される。
【０００８】
アシストドーパントを用いて三重項励起子を一重項励起子へ理論上ほぼ変換可能であるが、発光層にアシストドーパント材料を添加するため、ドーパント材料及びアシストドーパント材料に応じたホスト材料を発光色毎に検討して、発光色毎に画素を形成する必要があり、製造工程が複雑化して、生産性の低下と製造コストの上昇を招くこととなる。
【０００９】
このような問題に鑑み、本発明は、発光層の製造工程を簡素化し、生産性を向上させた有機ＥＬ表示装置を提供することを目的とする。
【課題を解決するための手段】
【００１０】
本発明の一実施形態によれば、第１の画素電極と、前記第１の画素電極と同層に設けられた第２の画素電極と、前記第１及び前記第２の画素電極上に設けられた対向電極と、前記第１の画素電極と前記対向電極との間に設けられ、第１波長の光を出射する第１の有機発光層と、前記第２の画素電極と前記対向電極との間に設けられ、第２波長の光を出射する第２の有機発光層と、を有し、前記第１の有機発光層は、ホスト材料、第１のドーパント材料、及び第１のアシストドーパント材料を含み、前記第２の有機発光層は、前記ホスト材料、第２のドーパント材料、及び第２のアシストドーパント材料を含むことを特徴とする、有機ＥＬ表示装置が提供される。
【図面の簡単な説明】
【００１１】
【図１】本発明の一実施形態に係る表示装置の上面図および断面図である。
【図２】本発明の一実施形態に係る表示装置の断面図である。
【図３】本発明の一実施形態に係る表示装置の断面図である。
【発明を実施するための形態】
【００１２】
以下、本発明の実施の形態を、図面等を参照しながら説明する。但し、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
本明細書において、ある部材又は領域が、他の部材又は領域の「上に（又は下に）」あるとする場合、特段の限定がない限り、これは他の部材又は領域の直上（又は直下）にある場合のみでなく、他の部材又は領域の上方（又は下方）にある場合を含み、すなわち、他の部材又は領域の上方（又は下方）において間に別の構成要素が含まれている場合も含む。
【００１４】
＜有機ＥＬ表示装置の構成＞
以下に、本発明の一実施形態に係る有機ＥＬ表示装置の構成を図１（Ａ）及び（Ｂ）に示す。図１（Ａ）は有機ＥＬ表示装置１００の平面図を示し、図中に示すＡ−Ｂ線に対応する断面構造を図１（Ｂ）に示す。
【００１５】
有機ＥＬ表示装置１００は、第１の画素電極と、第１の画素電極と同層に設けられた第２の画素電極と、第１及び第２の画素電極上に設けられた対向電極と、を備える。また、有機ＥＬ表示装置１００は、第１の画素電極と対向電極との間に設けられ、第１波長の光を出射する第１の有機発光層と、第２の画素電極と対向電極との間に設けられ、第２波長の光を出射する第２の有機発光層と、を有する。
【００１６】
有機ＥＬ表示装置１００において、第１の有機発光層は、ホスト材料、第１のドーパント材料、及び第１のアシストドーパント材料を含み、第２の有機発光層は、ホスト材料、第２のドーパント材料、及び第２のアシストドーパント材料を含む。第１の有機発光層と第２の有機発光層に含まれるホスト材料は、同じホスト材料である。
【００１７】
図１を参照すると、有機ＥＬ表示装置１００は、複数の画素が二次元的に配列された画素部１０６を有している。画素部１０６は第１基板１０２に設けられている。第１基板１０２には、走査線駆動回路１６２、映像信号線駆動回路１６４、入力端子部１６６などが設けられていてもよい。第２基板１０４は第１基板１０２に対向し、画素部１０６を封止するように設けられている。
【００１８】
第２基板１０４と第１基板１０２とはシール材１６０により固定されている。第２基板１０４と第１基板１０２とは数マイクロメートルから数十マイクロメートルの間隙をもって固定されており、当該間隙部には充填材１４２が設けられている。充填材１４２としては樹脂材料が好適に用いられる。第２基板１０４と第１基板１０２の間に画素部１０６を挟み込み、充填材１４２を封入する構成は固体封止とも呼ばれている。第２基板１０４と第１基板１０２とは、シール材１６０を用いることなく、充填材１４２によって固定されても良い。また、充填材１４２のみによって好適に表示領域１０６の保護が出来る場合は、第２基板１０４を設けなくても良い。
【００１９】
画素部１０６における各画素には有機ＥＬ素子が設けられている。有機ＥＬ素子の有機発光層には、有機ＥＬ材料として画素に共通したホスト材料と、発光色に応じたドーパント材料及びアシストドーパント材料とが用いられる。画素部１０６における各画素は、画素回路により発光が個別に制御される。各画素の発光を制御する信号は、走査線駆動回路１６２及び映像信号線駆動回路１６４から与えられる。
【００２０】
図１で示す有機ＥＬ表示装置１００は、画素部１０６の発光が第２基板１０４側に射出されるトップエミッション型の構成を有している。
【００２１】
なお、トップエミッション型の場合、第２基板１０４は透光性を有する必要があるため、ガラス又は樹脂材料が用いられる。透光性の優れた樹脂材料としては、例えば、ポリベンゾオキサゾール、脂環式構造を有するポリアミドイミド、脂環式構造を有するポリイミド、ポリアミド及びポリ（ｐ−キシリレン）から選択される樹脂材料を含むものが好ましく、これらの樹脂材料を単独で含んでいてもよいし、複数種が組み合わされていてもよい。例えば、第２基板１０４をポリイミド樹脂で形成する場合には、ポリイミドの前駆体であるポリアミック酸（一部がイミド化されたポリアミック酸を含む、）又は、可溶性ポリイミドを含む溶液を支持基板１５２に塗布し、焼成することで形成することができる。
【００２２】
画素部１０６の構成を、図２及び図３を参照して説明する。図２は、画素部１０６における有機ＥＬ素子１２２の構成を断面図で示す。図３は、画素部１０６における画素１２０の構成を断面図で示す。第１の有機ＥＬ素子１２２ａ〜第３の有機ＥＬ素子１２２ｃ（以下、特に区別をしない場合は「有機ＥＬ素子１２２」ともいう。）は、同層に設けられた第１の画素電極１２４ａ〜第３の画素電極１２４ｃ（以下、特に区別をしない場合は「画素電極１２４」ともいう。）上に有機ＥＬ層１２５及び対向電極１２６が積層された構成を有している。有機ＥＬ層１２５は、低分子系又は高分子系の有機材料を用いて形成することができる。有機ＥＬ層１２５は、画素に共通したホスト材料と、発光色に応じたドーパント材料及びアシストドーパント材料とを含む第１の有機発光層１１４ａ〜第３の有機発光層１１４ｃ（以下、特に区別をしない場合は「有機発光層１１４」ともいう。）に加え、当該有機発光層１１４を挟むようにホール輸送層１１１や電子輸送層１１６等のキャリア輸送層が設けられている。また、ホール輸送層１１１と有機発光層１１４との間に電子ブロッキング層１１２を配置し、電子輸送層１１６と有機発光層１１４との間にホールブロッキング層１１５を配置してもよい。
【００２３】
第１の有機発光層１１４ａ〜第３の有機発光層１１４ｃは、それぞれ異なる第１波長〜第３波長の光を出射する。例えば、有機ＥＬ層１２５は、赤色（Ｒ）、緑色（Ｇ）、青色（Ｂ）の各色を発光するものであってもよいし、他の色を発光するものであってもよい。第１の有機発光層１１４ａ〜第３の有機発光層１１４ｃを形成するにあたっては、ホスト材料、発光ドーパント及びアシストドーパントをそれぞれ蒸着源とした坩堝を用意し、色毎に順次共蒸着する。本発明においては、第１の有機発光層１１４ａ〜第３の有機発光層１１４ｃにおいて、ホスト材料を共通とし、発光ドーパント及びアシストドーパントを各色に合わせて用意することになるため、必要な坩堝の数は、ホスト材料１個、発光ドーパント３個、アシストドーパント３個の合計７個となる。全ての色で個別にホスト材料用の坩堝を用意する場合と比較して、坩堝を２個減ずることができる。
【００２４】
また、一実施形態において、有機ＥＬ層１２５には、画素電極１２４とホール輸送層１１１との間にホール注入層を配置し、対向電極１２６と電子輸送層１１６との間に電子注入層を配置してもよい。
【００２５】
なお、本実施形態において、ホール輸送層１１１、電子ブロッキング層１１２、有機発光層１１４、ホールブロッキング層１１５、電子輸送層１１６、ホール注入層及び電子注入層を構成する材料として、公知の材料を用いることができる。
【００２６】
ホール輸送層１１１及びホール注入層に用いるホール輸送性材料としては、例えばベンジジン又はその誘導体、スチリルアミン又はその誘導体、トリフェニルメタン又はその誘導体をはじめ、ポルフィリン又はその誘導体、トリアゾール又はその誘導体、イミダゾール又はその誘導体、オキサジアゾール又はその誘導体、ポリアリールアルカン又はその誘導体、フェニレンジアミン又はその誘導体、アリールアミン又はその誘導体、オキサゾール又はその誘導体、アントラセン又はその誘導体、フルオレノン又はその誘導体、ヒドラゾン又はその誘導体、スチルベン又はその誘導体、フタロシアニンまたはその誘導体、ポリシラン系化合物、ビニルカルバゾール系化合物、チオフェン系化合物、アニリン系化合物等の複素環式共役系のモノマー、オリゴマー、ポリマー等が挙げられる。
【００２７】
このようなホール輸送性材料の具体的な例としては、α−ナフチルフェニルジアミン（αＮＰＤ）、ポルフィリン、金属テトラフェニルポルフィリン、金属ナフタロシアニン、４，４’，４”−トリメチルトリフェニルアミン、４，４’，４”−トリス（３−メチルフェニルフェニルアミノ）トリフェニルアミン（ｍ−ＭＴＤＡＴＡ）、Ｎ，Ｎ，Ｎ’，Ｎ’−テトラキス（ｐ−トリル）ｐ−フェニレンジアミン、Ｎ，Ｎ，Ｎ’，Ｎ’−テトラフェニル−４，４’−ジアミノビフェニル、Ｎ−フェニルカルバゾール、４−ジ−ｐ−トリルアミノスチルベン、ポリ（パラフェニレンビニレン）、ポリ（チオフェンビニレン）、ポリ（２，２’−チエニルピロール）等が挙げられるが、これらに限定されるものではない。
【００２８】
電子ブロッキング層１１２に用いる材料としては、例えば、関東化学株式会社製のＨＴＥＢ０２やＨＴＥＢ０４を使用することができる。
【００２９】
電子輸送層１１６及び電子注入層に用いる電子輸送性材料として使用可能な材料としては、８−ヒドロキシキノリンアルミニウム（Ａｌｑ３）、８−ヒドロキシメチルキノリンアルミニウム、アントラセン、ナフタレン、フェナントレン、ピレン、クリセン、ペリレン、ブタジエン、クマリン、アクリジン、スチルベン、又はこれらの誘導体等が挙げられるが、これらに限定されるものではない。
【００３０】
ホールブロッキング層１１５に用いる材料としては、例えば、４，４’−Ｎ、Ｎ’−ジカルボゾール―ビフェニル（ＣＢＰ：４，４’−Ｎ，Ｎ’−ｄｉｃａｒｂｏｚｏｌｅ−ｂｉｐｈｅｎｙｌ）や、２，９−ジメチル−４,７−ジフェニル−１,１０−フェナントロリン（ＢＣＰ：２，９−ｄｉｍｅｔｈｙｌ−４，７−ｄｉｐｈｅｎｙｌ−１，１０−ｐｈｅｎａｎｔｈｒｏｌｉｎｅ）を使用することができる。
【００３１】
有機発光層１１４は、全ての発光色に共通したホスト材料と、各発光色に応じたドーパント材料及びアシストドーパント材料とにより構成される。従来の有機ＥＬ表示装置では、ドーパント材料及びアシストドーパント材料に応じたホスト材料を選択して、発光色に対応した画素毎にホスト材料を準備する必要があった。このため、ドーパント材料及びアシストドーパント材料とホスト材料との組合せを検討する必要があった。また、有機発光層１１４を蒸着により形成する場合には、ホスト材料毎に坩堝を準備するとともに、ホスト材料毎に蒸着の工程を行うため、製造工程が増加し、製造性が低下するとともに、製造コストの上昇を招いていた。
【００３２】
本発明に係る有機ＥＬ表示装置１００においては、ホスト材料を共通化し、発光色に応じてドーパント材料及びアシストドーパント材料を選択して共蒸着させるため、坩堝の数を減らして製造工程を簡素化し、製造性を向上させるとともに、製造コストを低減することができる。
【００３３】
画素電極１２４に適用可能な材料としては、例えば、ニッケル、銀、金、白金、パラジウム、セレン、ロジウム、ルテニウム、イリジウム、レニウム、タングステン、モリブデン、クロム、タンタル、ニオブやこれらの合金、あるいは酸化錫（ＳｎＯ2）、酸化インジウム錫（ＩＴＯ：Indium tin oxide）、酸化亜鉛、酸化チタン等があるが、これらに限定されるものではない。また、対向電極１２６に適用可能な材料としては、例えば、Ｌｉ、Ｍｇ、Ｃａ等の活性な金属とＡｇ、Ａｌ、Ｉｎ等の金属との合金、或いはこれらを積層した構造があるが、これらに限定されるものではない。
【００３４】
図３を参照して、画素部１０６における画素１２０の構成をさらに説明する。画素１２０には有機ＥＬ素子１２２とトランジスタ１３２が含まれている。画素電極１２４の周縁部はバンク層１３０によって覆われており、有機ＥＬ層１２５は画素電極１２４の上面からバンク層１３０にかけて設けられている。各色の画素電極１２４上に位置する有機ＥＬ層１２５には、個別に形成された有機発光層１１４が含まれている。また、有機ＥＬ素子１２２の上面側には、封止膜１２８が設けられていてもよい。封止膜１２８は、画素部１０６の略前面を覆うように設けられている。
【００３５】
本実施形態では、トップエミッション型の画素構成を有するため、有機ＥＬ素子１２２の構成は、対向電極１２６が透光性であり、画素電極１２４には光反射面が設けられていることが好ましい。有機ＥＬ層１２５の発光は、立体角で表せば４πの全方向に放射されるため、第２基板１０４側に放射される光は、少なくとも、有機ＥＬ層１２５から直接放射される光の成分と、画素電極１２４で反射して第２基板１０４側へ放射される光の成分が混在している。いずれにしても、有機ＥＬ層１２５で発光した光は、さまざまな角度で第２基板１０４に入射することとなる。
【００３６】
対向電極１２６は複数の画素に共通の電位が印加され、有機ＥＬ素子１２２に流れる電流値はトランジスタ１３２によって制御される。トランジスタ１３２を介して有機ＥＬ素子１２２に流れる電流値は映像信号によって異なり、その電流値によって、対向電極１２６と画素電極１２４との電位差が決まる。
【００３７】
トランジスタ１３２は、半導体層１３４とゲート電極１３８がゲート絶縁層１３６によって絶縁された電界効果トランジスタである。具体的には、薄膜の半導体層１３４にチャネルが形成される薄膜トランジスタの形態を有している。トランジスタ１３２と有機ＥＬ素子１２２の間には層間絶縁層１４４が設けられていることが好ましく、画素電極１２４はこの層間絶縁層１４４上に設けられており、コンタクトホールを介してソース・ドレイン電極１４０と接続されている。
【００３８】
本実施形態の有機ＥＬ表示装置１００は、画素部１０６からの光射出面側（表示画面側）に封止用の基板と一体化された光学素子１０８を設けることにより、薄型化を図りつつ、光の取り出し効率を高めることを可能としている。
【００３９】
＜ホスト材料＞
本発明に係る有機ＥＬ表示装置１００に用いるホスト材料は、各発光色に対して決められた発光ドーパント及びアシストドーパントと密接に関連した特性が求められる。ここで重要視されるパラメータとしては、主に励起状態におけるエネルギー準位が挙げられる。本発明においては、ホスト材料はＴ１（三重項励起状態）準位が２．８ｅＶ以上、かつ、後述するアシストドーパントのＳ１（一重項励起状態）準位の値に対して、＋０．４ｅＶ以上であることが求められる。
【００４０】
＜ドーパント＞
本発明に係る有機ＥＬ表示装置１００に用いるドーパントに求められる特性としては、各発光色において、Ｓ１準位はそれぞれ２．６ｅＶ以上３．０ｅＶ以下であることが求められる。一実施形態において、本発明に係る有機ＥＬ表示装置１００に用いるドーパントとしては、例えば、化学式（１）で示される2,5,8,11-Tetra-tert-butylperylene（TBPe）を用いることができる。
【化１】
2018082076.tif 000003
【００４１】
＜アシストドーパント＞
また、本発明に係る有機ＥＬ表示装置１００に用いるアシストドーパントに求められる特性としては、各発光色において、Ｓ１準位がそれぞれ２．４ｅＶ以上３．０ｅＶ以下、かつ、ΔＥＳＴ（一重項励起状態と三重項励起状態との準位ギャップ）がそれぞれ０ｅＶ以上０．２ｅＶ以下であることが求められる。一実施形態において、本発明に係る有機ＥＬ表示装置１００に用いるアシストドーパントとしては、例えば、化学式（２）で示されるACRSA又は（３）で示される2CzPNを用いることができる。
【化２】
2018082076.tif 000004
【００４２】
また、本発明に係る有機ＥＬ表示装置１００に用いるドーパントとアシストドーパントは、結合した形態であってもよい。例えば、TBPeとACRSAが結合した化学式（４）で示される化合物、又は、TBPeと2CzPNが結合した化学式（５）で示される化合物を用いることができる。
【００４３】
化学式（１）の化合物（TBPe）と化学式（２）の化合物（ACRSA）との結合様式は、例えば、単結合により連結する場合、化学式（４）で示されるが、これに限定されるものではない。
【化３】
2018082076.tif 000005
【００４４】
化学式（１）の化合物（TBPe）と化学式（３）の化合物（2CzON）との結合様式は、例えば、単結合により連結する場合、化学式（５）で示されるが、これに限定されるものではない。
【化４】
2018082076.tif 000006
【００４５】
本発明に係る有機ＥＬ表示装置においては、ホスト材料を共通化し、発光色に応じてドーパント材料及びアシストドーパント材料を選択して共蒸着させるため、坩堝の数を減らして製造工程を簡素化し、製造性を向上させるとともに、製造コストを低減することができる。
【００４６】
（製造方法）
本発明の一実施形態に係る有機ＥＬ表示装置用材料の製造方法の概要を説明する。有機ＥＬ表示装置用材料の製造工程には、公知の製造工程を用いることができる。
【００４７】
まず、第１基板１０２に画素回路を形成する。このとき、必要に応じて走査線駆動回路や映像信号線駆動回路、入力端子部なども形成する。画素回路を構成するトランジスタ１３２やキャパシタなどの各素子は、半導体、絶縁体、金属による薄膜の積層とフォトリソグラフィー法によるパターニングを繰り返して作製される。
【００４８】
画素回路などが形成された回路素子層１５８の上に有機ＥＬ素子を形成する。各画素１２０の有機ＥＬ素子１２２を形成するために、画素回路と電気的に接続される画素電極１２４を形成する。画素電極１２４はトランジスタ１３２を埋設する層間絶縁層１４４の上に形成する。次いで、画素電極１２４の周縁部を覆うバンク層１３０を形成する。画素電極１２４は、画素１２０ごとに形成され、周縁部をバンク層１３０で囲まれることにより、各画素の領域が画定されることになる。
【００４９】
画素電極１２４上にホール輸送層１１１、電子ブロッキング層１１２、有機発光層１１４、ホールブロッキング層１１５及び電子輸送層１１６を形成する。各層の形成は、例えば、蒸着法やインクジェットを用いた印刷法を用いることができる。また、一実施形態において、画素電極１２４とホール輸送層１１１との間にホール注入層を形成し、対向電極１２６と電子輸送層１１６との間に電子注入層を形成してもよい。このように、有機ＥＬ層１２５を形成することができる。
【００５０】
有機発光層１１４は、上述した本発明に係るホスト材料と、画素の配置に応じて、ドーパント及びアシストドーパントとを３元蒸着することにより形成することができる。また、インクジェットを用いた印刷法を用いて、画素毎に材料を塗り分けて形成してもよい。
【００５１】
さらに対向電極１２６を形成する。対向電極１２６の上層には窒化シリコン膜などで封止膜１２８を形成する。このように画素回路及び画素部１０６を形成することができる。
【符号の説明】
【００５２】
１００・・・有機ＥＬ表示装置、１０２・・・第１基板、１０４・・・第２基板、１０６・・・画素部、１０８・・・光学素子、１１１・・・ホール輸送層、１１２・・・電子ブロッキング層、１１４・・・有機発光層、１１５・・・ホールブロッキング層、１１６・・・電子輸送層、１２０・・・画素、１２２・・・有機ＥＬ素子、１２４・・・画素電極、１２５・・・有機ＥＬ層、１２６・・・対向電極、１２８・・・封止膜、１３０・・・バンク層、１３２・・・トランジスタ、１３４・・・半導体層、１３６・・・ゲート絶縁層、１３８・・・ゲート電極、１４０・・・ソース・ドレイン電極、１４２・・・充填材、１４４・・・層間絶縁層、１４６・・・遮光層、１５０・・・オーバーコート層、１５８・・・回路素子層、１６０・・・シール材、１６２・・・走査線駆動回路、１６４・・・映像信号線駆動回路、１６６・・・入力端子部。
【図１】
2018082076.tif 000007
【図２】
2018082076.tif 000008
【図３】
2018082076.tif 000009